(57)【特許請求の範囲】
【請求項１】
制御信号を含む第１のフレームを送信する第１の光伝送装置と、
前記第１のフレームを受信し、前記第１のフレームの制御信号を受信した時刻に送信されるフレーム内の送信位置を示す位相情報を制御信号に挿入し、この位相情報を挿入した制御信号を含む第２のフレームを送信する第２の光伝送装置と、を備え、
前記第１の光伝送装置は、前記第２のフレームを受信し、前記第１のフレームの制御信号を送信した時刻を示す情報、前記第２のフレームの制御信号を受信した時刻を示す情報および前記位相情報に基づいて前記第１の光伝送装置と前記第２の光伝送装置との間の伝送遅延時間を測定することを特徴とする光伝送システム。
【請求項２】
前記第１の光伝送装置は、前記位相情報に基づいて前記第１のフレームの制御信号を受信した時刻と前記第２のフレームの制御信号を送信した時刻との時間差を求め、この求めた時間差に基づいて伝送遅延時間を測定することを特徴とする請求項１に記載の光伝送システム。
【請求項３】
前記第２の光伝送装置は、前記第２のフレーム以後に送信する複数のフレームの制御信号に前記位相情報を分割して挿入することを特徴とする請求項１または請求項２に記載の光伝送システム。
【請求項４】
フレームは、ＯＴＵｋ（Ｏｐｔｉｃａｌ  ｃｈａｎｎｅｌ  Ｔｒａｎｓｐｏｒｔ  Ｕｎｉｔ−ｋ）フレームであり、
制御信号は、ＤＭ（Ｄｅｌａｙ  Ｍｅａｓｕｒｅｍｅｎｔ）バイトであり、
第１の光伝送装置は、ＯＴＵｋフレームの１フレーム長よりも小さい時間単位で伝送遅延時間を測定することを特徴とする請求項１〜請求項３のいずれか１項に記載の光伝送システム。
【請求項５】
フレームは、ＯＴＵｋフレームのペイロードデータとしてＣＰＲＩ（Ｃｏｍｍｏｎ  Ｐｕｂｌｉｃ  Ｒａｄｉｏ  Ｉｎｔｅｒｆａｃｅ）信号を含み、
第１の光伝送装置は、ＣＰＲＩ信号に規定される伝送遅延時間の精度よりも小さい時間単位で伝送遅延時間を測定することを特徴とする請求項４に記載の光伝送システム。
【請求項６】
第１の光伝送装置において、制御信号を含む第１のフレームを送信する第１のステップと、
第２の光伝送装置において、前記第１のステップで送信された前記第１のフレームを受信する第２のステップと、
前記第２の光伝送装置において、前記第２のステップで前記第１のフレームの制御信号を受信した時刻に送信されるフレーム内の送信位置を示す位相情報を制御信号に挿入する第３のステップと、
前記第２の光伝送装置において、前記第３のステップで位相情報を挿入した制御信号を含む第２のフレームを送信する第４のステップと、
前記第１の光伝送装置において、  前記第４のステップで送信された前記第２のフレームを受信する第５のステップと、
前記第１の光伝送装置において、  前記第１のステップで前記第１のフレームの制御信号を送信した時刻を示す情報、前記第５のステップで前記第２のフレームの制御信号を受信した時刻を示す情報および前記位相情報に基づいて前記第１の光伝送装置と前記第２の光伝送装置との間の伝送遅延時間を測定する第６のステップと、
を備えたことを特徴とする遅延測定方法。
【発明の詳細な説明】
【技術分野】
【０００１】
この発明は、光伝送システムおよび遅延測定方法に関するものである。
【背景技術】
【０００２】
無線基地局装置の形態として、ＣＰＲＩ（Ｃｏｍｍｏｎ  Ｐｕｂｌｉｃ  Ｒａｄｉｏ  Ｉｎｔｅｒｆａｃｅ）といった光インタフェースを用い、アンテナ等から構成されるＲＲＨ（Ｒｅｍｏｔｅ  Ｒａｄｉｏ  Ｈｅａｄ）を分散して配置するとともに、ＢＢＵ（Ｂａｓｅ  Ｂａｎｄ  Ｕｎｉｔ）にデジタル信号処理を集中させるＭＦＨ（Ｍｏｂｉｌｅ  Ｆｒｏｎｔ−Ｈａｕｌ) の導入が進められている。【０００３】
また、ＩＴＵ−Ｔ  Ｇ．７０９規格に定義されるＯＴＵｋ（Ｏｐｔｉｃａｌ  ｃｈａｎｎｅｌ  Ｔｒａｎｓｐｏｒｔ  Ｕｎｉｔ−ｋ）フレームにてＣＰＲＩ信号をカプセル化して転送する技術が知られている（例えば、非特許文献１参照）。【０００４】
また、ＯＴＵｋフレームを伝送する光伝送装置間において、オーバーヘッドのＤＭ（Ｄｅｌａｙ  Ｍｅａｓｕｒｅｍｅｎｔ）バイトを利用して伝送遅延時間を測定する遅延測定方法が知られている（例えば、特許文献１参照）。
【先行技術文献】
【非特許文献】
【０００５】
【非特許文献１】Ｒｅｃｏｍｍｅｎｄａｔｉｏｎ  ＩＴＵ−Ｔ  Ｇ．７０９／Ｙ．１３３１（１２／２００９），  ”Ｉｎｔｅｒｆａｃｅｓ  ｆｏｒ  ｔｈｅ  Ｏｐｔｉｃａｌ  Ｔｒａｎｓｐｏｒｔ  Ｎｅｔｗｏｒｋ  （ＯＴＮ）”．
【特許文献】
【０００６】
【特許文献１】特開２０１３−１５３３６７号公報
【発明の概要】
【発明が解決しようとする課題】
【０００７】
ＣＰＲＩでは許容される伝送遅延時間であるＲＴＴ（Ｒｏｕｎｄ  Ｔｒｉｐ  Ｔｉｍｅ）が１００ｕｓ程度と短く、ＲＴＴの精度も＋／−１６ｎｓと非常に厳しい値に規定されているものの、ＣＰＲＩ信号の伝送区間においては、ＲＴＴはＣＰＲＩフォーマットを利用して測定できる。【０００８】
一方、ＭＦＨの伝送距離の延伸のため、非特許文献１に開示されているようにＯＴＵｋフレームにてカプセル化してＣＰＲＩ信号を転送する場合、ＣＰＲＩ信号を途中で変更することなくトランスペアレントに転送することが望ましく、ＯＴＵｋフレームにカプセル化されたままで、ＯＴＵｋフレームの伝送区間の光伝送装置間においてＣＰＲＩ信号のＲＴＴを測定することが望まれる。【０００９】
しかしながら、特許文献１に開示されている従来のＤＭバイトを利用した遅延測定方法においては、測定精度がＯＴＵｋフレーム間隔に制限され、１０Ｇｂ／ｓでは１２ｕｓｅｃ未満の時間単位でＲＴＴを測定できず、２．５Ｇｂ／ｓでは５０ｕｓｅｃ未満の時間単位でＲＴＴを測定できないことから、上述のＣＰＲＩ信号に規定されるＲＴＴの精度に対して測定精度が足りないという問題点があった。【００１０】
この発明は上記のような課題を解決するためになされたもので、例えばＯＴＵｋフレームを用いる光伝送システムにおいて、例えばＤＭバイトを利用した遅延測定の高精度化を実現することを目的としている。
【課題を解決するための手段】
【００１１】
この発明に係る光伝送システムは、制御信号を含む第１のフレームを送信する第１の光伝送装置と、前記第１のフレームを受信し、前記第１のフレームの制御信号を受信した時刻に送信されるフレーム内の送信位置を示す位相情報を制御信号に挿入し、この位相情報を挿入した制御信号を含む第２のフレームを送信する第２の光伝送装置と、を備え、前記第１の光伝送装置は、前記第２のフレームを受信し、前記第１のフレームの制御信号を送信した時刻を示す情報、前記第２のフレームの制御信号を受信した時刻を示す情報および前記位相情報に基づいて前記第１の光伝送装置と前記第２の光伝送装置との間の伝送遅延時間を測定するものである。
【発明の効果】
【００１２】
この発明は、フレームを用いる光伝送システムにおいて、１フレーム長よりも小さい時間単位で伝送遅延時間を測定することができる。
【図面の簡単な説明】
【００１３】
【図１】この発明の実施の形態１による光伝送システムを説明するための説明図
【図２】この発明の実施の形態１による光伝送システムの適用例を示す構成図
【図３】この発明の実施の形態１による光伝送システムを説明するための説明図
【図４】この発明の実施の形態１による光伝送システムを示す構成図
【図５】この発明の実施の形態１による光伝送システムを説明するための説明図
【発明を実施するための形態】
【００１４】
実施の形態１．
図１〜３は、この発明の実施の形態１による光伝送システムを説明するための説明図等であり、図１にＩＴＵ−Ｔ  Ｇ．７０９／Ｙ．１３３１規格に定義されるＯＴＵｋ（Ｏｐｔｉｃａｌ  ｃｈａｎｎｅｌ  Ｔｒａｎｓｐｏｒｔ  Ｕｎｉｔ−ｋ）フレームのオーバヘッド中のＤＭ（Ｄｅｌａｙ  Ｍｅａｓｕｒｅｍｅｎｔ）バイトを示し、図２に光伝送システムを適用したＭＦＨ（Ｍｏｂｉｌｅ  Ｆｒｏｎｔ−Ｈａｕｌ) の一例を示し、図３にＤＭバイトを利用した従来の遅延測定方法の手順を示す。なお、各図において、同一符号は同一または相当部分を示す。
【００１５】
図１、２において、ＯＴＵｋフレームの一例である伝送速度１０．７Ｇｂ／ｓのＯＴＵ２（Ｏｐｔｉｃａｌ  ｃｈａｎｎｅｌ  Ｔｒａｎｓｐｏｒｔ  Ｕｎｉｔ−２）フレームは、ユーザデータを格納するペイロードデータに、制御信号としてのＤＭバイトを含む監視制御用のオーバヘッドが、第１の光伝送装置としてのＯＴＮ（Ｏｐｔｉｃａｌ  Ｔｒａｎｓｐｏｒｔ  Ｎｅｔｗｏｒｋ）光伝送装置１Ａで付加され、光ファイバ伝送路２を介して転送され、第２の光伝送装置としてのＯＴＮ光伝送装置１Ｂでオーバヘッドが除去され、ユーザデータが分配される。このユーザデータの一例である伝送速度２．５Ｇｂ／ｓのＣＰＲＩ（Ｃｏｍｍｏｎ  Ｐｕｂｌｉｃ  Ｒａｄｉｏ  Ｉｎｔｅｒｆａｃｅ）信号は、ＢＢＵ（Ｂａｓｅ  Ｂａｎｄ  Ｕｎｉｔ）３から送信され、例えば３台のＲＲＨ（Ｒｅｍｏｔｅ  Ｒａｄｉｏ  Ｈｅａｄ）４でそれぞれ受信される。
【００１６】
図２において、ＯＴＮ光伝送装置１Ａ、ＯＴＮ光伝送装置１Ｂおよび光ファイバ伝送路２は、光通信事業を営むＡ社により管理され、基地局を構成するＢＢＵ２およびＲＲＨ３は、無線通信事業を営む別のＢ社により管理される場合がある。このとき、自社の顧客からのユーザデータであるＣＰＲＩ信号を管理するＢ社にとっては、ＣＰＲＩ信号を転送する光ファイバ伝送路２を提供するＡ社に、ＣＰＲＩ信号を途中で変更することなく、トランスペアレントに転送してもらうことが望ましい。さらに、Ａ社としては、Ｂ社へのサービス提供のために遅延性能を独自に管理することが望ましく、また、複数のＣＰＲＩ信号を多重化した場合、一部のＣＰＲＩ信号が挿抜されることもあることから、ＣＰＲＩフォーマットに依存した遅延測定方法ではなく、ＯＴＵｋフレームを用いた遅延測定方法を実施することが望ましい。
【００１７】
ここで、従来のＯＴＵｋフレームを用いた遅延測定方法では、オーバヘッド中のＤＭバイトを用いて、以下の手順で伝送遅延時間であるＲＴＴ（Ｒｏｕｎｄ  Ｔｒｉｐ  Ｔｉｍｅ）を測定する。この手順を図３（１）〜（４）に示す。
【００１８】
図３（１）に示す通常状態において、測定側のＯＴＮ光伝送装置１Ａ、折り返し側のＯＴＮ光伝送装置１ＢはＤＭバイトを０で送信する。
【００１９】
図３（２）に示す測定開始（ｔ０）時において、測定側のＯＴＮ光伝送装置１Ａは、送信するＤＭバイトに１を立てる。
【００２０】
図３（３）に示す返信時において、１が立てられたＤＭバイトを受信したＯＴＮ光伝送装置１Ｂは、自身が返信するＤＭバイトに１を立てる。
【００２１】
図３（４）に示す測定終了（ｔ１）時において、ＯＴＮ光伝送装置１Ａは、１が立てられたＤＭバイトを受信した時刻ｔ１から、測定開始時刻ｔ０を引くことにより、ＲＴＴを算出する。
【００２２】
このとき、ＤＭバイトはＯＴＵｋフレームの固定位置に割り当てられている。このため、ＯＴＮ光伝送装置１Ｂは、ＯＴＮ光伝送装置１ＡからのＤＭバイトを、ＤＭバイトの返信直前に受信した場合でも、前フレームのＤＭバイトの返信直後に受信した場合でも、次フレームのＤＭバイト返信時までＤＭバイトは送信されないことから、同じタイミングでＯＴＮ光伝送装置１Ａ宛にＤＭバイトを送り返すことになる。
【００２３】
このため、この場合の遅延測定の精度はＯＴＵｋフレーム単位に制限される。１０Ｇｂ／ｓでは１フレーム長は１２ｕｓｅｃであり、２．５Ｇｂ／ｓでは１フレーム長は５０ｕｓｅｃであるため、上述のように、従来のＤＭバイトを利用した遅延測定方法は、ＣＰＲＩインタフェースの遅延測定としては用を成さない。
【００２４】
これに対し、この発明の実施の形態１による光伝送システムの遅延測定方法においては、ＯＴＮ光伝送装置１Ｂは、ＯＴＮ光伝送装置１ＡからのＤＭバイトを受信した時刻における送信フレーム内のバイト位置情報ｎを、自身が送信するＤＭバイトに格納するようにしたものである。これにより、以下に説明するように、ＤＭバイトを利用した遅延測定の高精度化を実現できるのである。
【００２５】
図４は、この発明の実施の形態１による光伝送システムを示す構成図である。なお、各図において、同一符号は同一または相当部分を示す。図４において、ＯＴＮ光伝送装置１Ａは、Ｃｌｉｅｎｔ多重／収容部１１Ａ、ＯＴＵ２  ＯＨ（Ｏｐｔｉｃａｌ  ｃｈａｎｎｅｌ  Ｔｒａｎｓｐｏｒｔ  Ｕｎｉｔ−２  Ｏｖｅｒｈｅａｄ）生成部１２Ａ、Ｆｒａｍｅカウンタ部１３Ａ、ＯＴＵ２  ＯＨ終端部１４Ａ、Ｃｌｉｅｎｔ分離部１５Ａ、遅延測定部１６を備えており、ＯＴＮ光伝送装置１Ｂは、Ｃｌｉｅｎｔ多重／収容部１１Ｂ、ＯＴＵ２  ＯＨ生成部１２Ｂ、Ｆｒａｍｅカウンタ部１３Ｂ、ＯＴＵ２  ＯＨ終端部１４Ｂ、Ｃｌｉｅｎｔ分離部１５Ｂを備えている。
【００２６】
なお、図４において、この発明の実施の形態１による光伝送システムを図２に示したＭＦＨに適用した場合、ユーザデータであるＣｌｉｅｎｔ信号はＣＰＲＩ信号であり、また、光ファイバ伝送路２は図示を省略している。
【００２７】
次に動作について説明する。図４において、ＯＴＮ光伝送装置１ＡがＯＴＮ光伝送装置１Ｂとの間のＲＴＴを測定する場合、ＯＴＮ光伝送装置１ＡのＣｌｉｅｎｔ多重／収容部１１Ａは、ＯＴＮ光伝送装置１Ａに入力されたＣｌｉｅｎｔ信号をＯＴＵ２フレームのペイロードデータに多重収容し、もしくは単純に収容し、ＯＴＵ２  ＯＨ生成部１２Ａは、そのペイロードデータにオーバヘッドを付加する。
【００２８】
このとき、Ｆｒａｍｅカウンタ部１３Ａは、測定開始を示すフラグビットである１をＤＭバイトに書き込み、ＯＴＵ２  ＯＨ生成部１２Ａは、そのＤＭバイトを含むオーバヘッドを付加した第１のフレームとしてのＯＴＵ２フレームを、例えば１．５ｕｍ波長帯の光信号としてＯＴＮ光伝送装置１Ｂに送信する。すなわち、ＯＴＮ光伝送装置１Ａは、Ｃｌｉｅｎｔ信号をＯＴＵ２フレームにカプセル化してＯＴＮ光伝送装置１Ｂに転送する。また、Ｆｒａｍｅカウンタ部１３Ａは、フラグビットを立てたＤＭバイトの送信と同時にカウンタをスタートさせる。
【００２９】
次に、図４において、ＯＴＮ光伝送装置１ＢのＯＴＵ２  ＯＨ終端部１４Ｂは、ＯＴＮ光伝送装置１ＡからのＯＴＵ２フレームを受信し、ＤＭバイトを含むオーバヘッドを終端する。すなわち、ＯＴＵ２  ＯＨ終端部１４Ｂは、オーバヘッドをＦｒａｍｅカウンタ部１３Ｂに送り、オーバヘッドが除去されたフレームをＣｌｉｅｎｔ分離部１５Ｂに送る。Ｃｌｉｅｎｔ分離部１５Ｂは、オーバヘッドが除去されたフレームからＣｌｉｅｎｔ信号を分離し、Ｃｌｉｅｎｔ信号を装置外に送信する。
【００３０】
このとき、Ｆｒａｍｅカウンタ部１３Ｂは、フラグビットを立てたＤＭバイトの受信をトリガとして、ＯＴＵ２  ＯＨ生成部１２Ｂからの送信フレーム内の位置を示す位相情報ｎをＤＭバイトに書き込み、ＯＴＵ２  ＯＨ生成部１２Ｂに送る。ＯＴＵ２  ＯＨ生成部１２Ｂは、そのＤＭバイトを含むオーバヘッドをＣｌｉｅｎｔ多重／収容部１１Ｂからのフレームに付加し、第２のフレームとしてのＯＴＵ２フレームをＯＴＮ光伝送装置１Ａに返送する。
【００３１】
最後に、図４において、ＯＴＮ光伝送装置１Ａの遅延測定部１６は、ＯＴＮ光伝送装置１Ｂから返送され、ＯＴＵ２  ＯＨ終端部１４Ａで終端されたＤＭバイトから位相情報ｎを抽出することで、ＯＴＮ光伝送装置１Ｂ内での受信フレームと送信フレームとの位相のずれを差し引いたＲＴＴを算出する。すなわち、Ｆｒａｍｅカウンタ部１３Ａは、フラグビットを立てたＤＭバイトの受信と同時にカウンタをストップさせ、遅延測定部１５は、そのカウンタ値からＤＭバイトに格納された位相情報ｎを引くことで、１フレーム長未満のフレーム位相を算出する。なお、Ｃｌｉｅｎｔ分離部１５Ａは、オーバヘッドを除去されたフレームからＣｌｉｅｎｔ信号を分離し、Ｃｌｉｅｎｔ信号を装置外に送信する。
【００３２】
次に実施の形態１における遅延測定方法の手順について説明する。図５は、この発明の実施の形態１による光伝送システムを説明するための説明図である。なお、各図において、同一符号は同一または相当部分を示す。図５において、縦軸は時刻ｔであり、ＯＴＮ光伝送装置１ＡとＯＴＮ光伝送装置１Ｂとの間のＯＴＵ２フレームの送受信を時系列的に示している。
【００３３】
例えば図５に示す例では、ＯＴＮ光伝送装置１Ｂは、送信フレーム位相（ａ）の場合はＯＴＵ２フレームの１００００バイト目で、送信フレーム位相（ｂ）の場合は２０００バイト目で、フラグビットを含むＤＭバイトを受信する。本来、送信フレーム位相（ａ）、（ｂ）のどちらでもＲＴＴが同じであるにも関わらず、上述のように、従来の遅延測定方法では、ＤＭバイトを受信した時刻ｔ２の送信フレーム位置の違いによって測定誤差が発生する。そこで、Ｆｒａｍｅカウンタ部１３Ｂは、ＤＭバイトを受信した時刻ｔ２の送信フレーム位置を参照し、この送信フレーム位置を示す位相情報ｎをＤＭバイトに挿入するようにしている。
【００３４】
例えば、図５において、ＯＴＮ光伝送装置１Ａから時刻ｔ０に送信されたＤＭバイトは、ＯＴＮ光伝送装置１Ｂで時刻ｔ２に受信されるが、送信フレーム位相（ａ）、（ｂ）によっては、時刻ｔ３（ａ）で送信されるか、時刻ｔ３（ｂ）で送信されるか不明である。ここで、送信フレーム位相（ａ）の場合、ＯＴＮ光伝送装置１Ｂは、時刻ｔ２でＯＴＵ２フレームの先頭から１００００バイト目を送信している。そこで、ＯＴＮ光伝送装置１Ｂは、ＤＭバイトを時刻ｔ３（ａ）で送信するとともに、１００００、または（１フレーム長−１００００）の値をＤＭバイトによって通知する。
【００３５】
そして、ＯＴＮ光伝送装置１Ａは、ＤＭバイトを受信し、ＯＴＮ光伝送装置１ＡがＤＭバイトを送信した時刻ｔ０（カウンタ・スタート）から受信した時刻ｔ１（ａ）（カウンタ・ストップ）までにかかった時間ｔ１（ａ）−ｔ０を計算し、その時間から（１フレーム長−１００００）バイトに対する時間を減算することで、ＯＴＮ光伝送装置１ＢがＤＭバイトを受信した時刻ｔ２から送信した時刻ｔ３（ａ）までの時間差を補正できる。
【００３６】
これにより、１０Ｇｂ／ｓにおいて、バイト単位で計測するようにすれば、遅延測定精度を０．８ｎｓｅｃに向上させることができる。なお、ビット単位で計測するようにすれば、遅延測定精度を１００ｐｓｅｃに向上させることも可能となる。すなわち、ＯＴＵ２フレームの１フレーム長の１２ｕｓｅｃよりも十分に小さい時間単位でＲＴＴを測定することができ、さらに、上述のＣＰＲＩ信号に規定されるＲＴＴの精度である＋／−１６ｎｓよりも小さい時間単位で十分な測定精度にてＲＴＴを測定することができる。
【００３７】
なお、送信フレーム位相（ｂ）で受信した場合でも、同様に、２０００、または（１フレーム長−２０００）の値をＤＭバイトによって通知することで、ＯＴＮ光伝送装置１ＢでのＤＭバイトの受信時刻ｔ２から送信時刻ｔ３（ｂ）までの時間差を補正でき、測定誤差が発生することなく、送信フレーム位相（ａ）の場合と同じ値のＲＴＴを求めることができるのである。
【００３８】
以上のように、この発明の実施の形態１による光伝送システムにおいては、折り返し側のＯＴＮ光伝送装置１ＢのＦｒａｍｅカウンタ部１３Ｂが、フラグビットを立てたＤＭバイトを受信した時刻ｔ２における送信フレーム位置を示す位相情報ｎをＤＭバイトに挿入し、遅延測定実行側のＯＴＮ光伝送装置１Ａの遅延測定部１５が、ＤＭバイトからの位相情報ｎを用いて、ＯＴＮ光伝送装置１Ｂ内での受信フレームと送信フレームとの位相のずれを差し引いたＲＴＴを算出するようにしている。これにより、ＯＴＵｋフレームを用いる光伝送システムにおいて、ＤＭバイトを利用して、ＯＴＵｋフレーム長未満の測定精度での遅延測定を実現することができるという作用効果を奏する。
【００３９】
なお、この発明の実施の形態１による光伝送システムにおいて、折り返し側のＯＴＮ光伝送装置１ＢのＦｒａｍｅカウンタ部１３Ｂが、フラグビットを立てたＤＭバイトを受信した時刻ｔ２における送信フレーム位置を示す位相情報を、以後に送信する複数のＯＴＵｋフレームの複数のＤＭバイトに分割して挿入し、遅延測定実行側のＯＴＮ光伝送装置１Ａの遅延測定部１５が、複数のＤＭバイトからの位相情報を用いて、ＯＴＮ光伝送装置１Ｂ内での受信フレームと送信フレームとの位相のずれを差し引いたＲＴＴを算出するようにしても良い。これにより、１つのＤＭバイトに格納可能な情報量が限られる場合にも、例えばビット単位のような高精度な位相情報を複数のＤＭバイトに分割して格納でき、さらに高い測定精度にてＲＴＴを測定することができるという作用効果を奏する。
【００４０】
また、この発明の実施の形態１による光伝送システムにおいて、伝送速度１０Ｇｂ／ｓ、２．５Ｇｂ／ｓ、光信号の波長帯１．５ｕｍ、光ファイバ伝送路は、これに限られる訳ではなく、例えば、伝送速度１００Ｇｂ／ｓ、４０Ｇｂ／ｓ、光信号の波長帯１．３ｕｍ、光空間伝送路でも良く、同様の作用効果を奏する。
【００４１】
また、この発明の実施の形態１による光伝送システムは、ＭＦＨへの適用に好適であるものの、ＯＴＵｋフレーム、ＤＭバイトおよびＣＰＲＩ信号は、これに限られる訳ではなく、要するに、光信号を伝送する光伝送システムにも限らず、１フレーム長またはユーザデータの規定精度よりも小さい時間単位で伝送遅延時間を測定することが望まれるシステムに適用されるものであれば、どのようなフレーム、遅延測定用制御信号およびユーザデータにおいても同様の作用効果を奏するのである。
【符号の説明】
【００４２】
１Ａ、１Ｂ  ＯＴＮ光伝送装置、２  光ファイバ伝送路、３  ＢＢＵ（Ｂａｓｅ  Ｂａｎｄ  Ｕｎｉｔ）、４  ＲＲＨ（Ｒｅｍｏｔｅ  Ｒａｄｉｏ  Ｈｅａｄ）、１１Ａ、１１Ｂ  Ｃｌｉｅｎｔ多重／収容部、１２Ａ、１２Ｂ  ＯＴＵ２  ＯＨ生成部、１３Ａ、１３Ｂ  Ｆｒａｍｅカウンタ部、１４Ａ、１４Ｂ  ＯＴＵ２  ＯＨ終端部、１５Ａ、１５Ｂ  Ｃｌｉｅｎｔ分離部、１６  遅延測定部。
【図１】
0005944082.tif 000002
【図２】
0005944082.tif 000003
【図３】
0005944082.tif 000004
【図４】
0005944082.tif 000005
【図５】
0005944082.tif 000006